【手続補正書】
【提出日】平成26年6月10日(2014.6.10)
【手続補正１】
【補正対象書類名】特許請求の範囲
【補正対象項目名】全文
【補正方法】変更
【補正の内容】
【特許請求の範囲】
【請求項１】
ディジタル画像キャプチャー装置であって、
イメージセンサと、
イメージセンサと通信可能に結合された光学系と、
前記イメージセンサと通信可能に結合されたメモリと、
前記メモリと通信可能に結合された通信インターフェースと、
前記メモリ及び前記通信インターフェースと通信可能に結合された１以上のプロセッサとを備え、
前記１以上のプロセッサが、
第１の論理プロトコルを用いて前記通信インターフェースを介したホストコンピュータシステムとの第１の通信リンクを確立し、
ディジタル画像共有化ソフトウェアが前記第１の論理プロトコルを用いて前記ホストコンピュータシステムにインストールされるかを決定し、
前記第１の論理プロトコルを用い且つ前記ディジタル画像共有化ソフトウェアが前記ホストコンピュータシステムにインストールされないという決定に基づき、前記ホストコンピュータシステムがネットワークソースから前記ディジタル画像共有化ソフトウェアを獲得することを生じさせ、
前記ホストコンピュータシステムからの入力に応答して、第２の論理プロトコルを用いて前記通信インターフェースを介した前記ホストコンピュータシステムとの第２の通信リンクを確立し、
前記ホストコンピュータシステムからの別の入力に応答して、ディジタル画像及び当該ディジタル画像に関する指定された共有先を第２の論理プロトコルを用いて前記ホストコンピュータシステムに送信する、ディジタル画像キャプチャー装置。
【請求項２】
キャプチャーされたディジタル画像に関し、１以上の指定された共有先を指定するように構成され得る、請求項１に記載のディジタル画像キャプチャー装置。
【請求項３】
前記指定された共有先は、ｅメールアドレス、画像共有ウェブサイト、ソーシャルネットワーキングウェブサイト、ディジタル画像フレーム、携帯電話、印刷サービスの１つ以上を含む、請求項２に記載のディジタル画像キャプチャー装置。
【請求項４】
前記第２の論理プロトコルは画像転送プロトコルを含む、請求項１に記載のディジタル画像キャプチャー装置。
【請求項５】
前記第２の論理プロトコルを用いて前記通信インターフェースを介した前記ホストコンピュータシステムとの第２の通信リンクを確立することは、
暫定モードフラグをセットすること、
前記ディジタル画像キャプチャー装置をパワーサイクルさせること、
前記暫定モードフラグがセットされたことを検出することに応答して、前記第２の論理プロトコルを用いて前記通信インターフェースを介した前記ホストコンピュータシステムと通信すること、
を含む、請求項１に記載のディジタル画像キャプチャー装置。
【請求項６】
パワーサイクルの後、暫定モードフラグをクリアーすることを更に含む、請求項５に記載のディジタル画像キャプチャー装置。
【請求項７】
前記ホストコンピュータシステムがネットワークソースから前記ディジタル画像共有化ソフトウェアを獲得することを生じさせることは、前記ホストコンピュータシステム上に前記ディジタル画像共有化ソフトウェアがインストールされるようにすることを含む、請求項１に記載のディジタル画像キャプチャー装置。
【請求項８】
イメージセンサと、
イメージセンサと通信可能に結合された光学系と、
前記イメージセンサと通信可能に結合された１以上のデータ処理システムと、
前記１以上のデータ処理システムと通信可能に結合された通信インターフェースと、
前記１以上のデータ処理システム及び前記通信インターフェースと通信可能に結合されたメモリであって、前記１以上のデータ処理システムがディジタル画像キャプチャー装置からの画像を配信するソフトウェアを自動的にインストールする方法を実行するようにさる命令を記憶した当該メモリと、
を備えたシステムであって、
前記命令は、
第１の論理プロトコルを用いて前記通信インターフェースを介したホストコンピュータシステムとの第１の通信リンクを確立し、
ディジタル画像共有化ソフトウェアが前記第１の論理プロトコルを用いて前記ホストコンピュータシステムにインストールされるかを決定し、
前記第１の論理プロトコルを用い且つ前記ディジタル画像共有化ソフトウェアが前記ホストコンピュータシステムにインストールされないという決定に基づき、前記ホストコンピュータシステムがネットワークソースから前記ディジタル画像共有化ソフトウェアを獲得することを生じさせ、
前記ホストコンピュータシステムからの入力に応答して、第２の論理プロトコルを用いて前記通信インターフェースを介した前記ホストコンピュータシステムとの第２の通信リンクを確立し、
前記ホストコンピュータシステムからの別の入力に応答して、ディジタル画像及び当該ディジタル画像に関する指定された共有先を第２の論理プロトコルを用いて前記ホストコンピュータシステムに送信する、
ための命令を含むことを特徴とするシステム。
【請求項９】
前記ディジタル画像に関する指定された共有先を送信する命令は、前記ディジタル画像に関する指定された共有先を最初に指定する命令を含む、請求項８に記載のシステム。
【請求項１０】
前記指定された共有先を指定する命令は、ｅメールアドレス、画像共有ウェブサイト、ソーシャルネットワーキングウェブサイト、ディジタル画像フレーム、携帯電話、印刷サービスの１つ以上を指定する命令を含む、請求項９に記載のシステム。
【請求項１１】
前記第２の論理プロトコルを使用することは、画像転送プロトコルを使用することを含む、請求項８に記載のシステム。
【請求項１２】
前記第２の論理プロトコルを用いて前記通信インターフェースを介した前記ホストコンピュータシステムとの第２の通信リンクを確立する命令は、
暫定モードフラグをセットする命令と、
前記ディジタル画像キャプチャー装置をパワーサイクルさせる命令とを含み、
前記ディジタル画像キャプチャー装置がパワーサイクルさせるとき、前記ディジタル画像キャプチャー装置は、前記暫定モードフラグがセットされたことを検出することに応答して、前記第２の論理プロトコルを用いて前記通信インターフェースを介した前記ホストコンピュータシステムと通信する、
を含む、請求項８に記載のシステム。
【請求項１３】
前記第２の通信リンクを確立する命令は、パワーサイクルの後、暫定モードフラグをクリアーする命令を更に含む、請求項１２に記載のシステム。
【請求項１４】
前記ホストコンピュータシステムがネットワークソースから前記ディジタル画像共有化ソフトウェアを獲得することを生じさせる命令は、前記ホストコンピュータシステム上に前記ディジタル画像共有化ソフトウェアがインストールされるようにす命令を含む、請求項８に記載のシステム。
【請求項１５】
データ処理システムがディジタル画像キャプチャー装置からの画像を配信するソフトウェアを自動的にインストールする方法を実行する命令を記憶した、プロセッサによるアクセス可能なメモリシステムであって、
前記命令は、
第１の論理プロトコルを用いて前記通信インターフェースを介したホストコンピュータシステムとの第１の通信リンクを確立し、
ディジタル画像共有化ソフトウェアが前記第１の論理プロトコルを用いて前記ホストコンピュータシステムにインストールされるかを決定し、
前記第１の論理プロトコルを用い且つ前記ディジタル画像共有化ソフトウェアが前記ホストコンピュータシステムにインストールされないという決定に基づき、前記ホストコンピュータシステムがネットワークソースから前記ディジタル画像共有化ソフトウェアを獲得することを生じさせ、
前記ホストコンピュータシステムからの入力に応答して、第２の論理プロトコルを用いて前記通信インターフェースを介した前記ホストコンピュータシステムとの第２の通信リンクを確立し、
前記ホストコンピュータシステムからの別の入力に応答して、ディジタル画像及び当該ディジタル画像に関する指定された共有先を第２の論理プロトコルを用いて前記ホストコンピュータシステムに送信する、
ための命令を含むことを特徴とするプロセッサによるアクセス可能なメモリシステム。
【請求項１６】
前記プロセッサにより前記ディジタル画像に関する指定された共有先を送信する命令は、前記ディジタル画像に関する指定された共有先を最初に指定する命令を含む、請求項１５に記載のプロセッサによるアクセス可能なメモリシステム。
【請求項１７】
前記プロセッサにより前記指定された共有先を指定する命令は、ｅメールアドレス、画像共有ウェブサイト、ソーシャルネットワーキングウェブサイト、ディジタル画像フレーム、携帯電話、印刷サービスの１つ以上を指定する命令を含む、請求項１６に記載のプロセッサによるアクセス可能なメモリシステム。
【請求項１８】
前記第２の論理プロトコルを用いて前記通信インターフェースを介した前記ホストコンピュータシステムとの第２の通信リンクを確立する命令は、
暫定モードフラグをセットする命令と、
前記ディジタル画像キャプチャー装置をパワーサイクルさせる命令とを含み、
前記ディジタル画像キャプチャー装置がパワーサイクルせるとき、前記ディジタル画像キャプチャー装置は、前記暫定モードフラグがセットされたことを検出することに応答して、前記第２の論理プロトコルを用いて前記通信インターフェースを介した前記ホストコンピュータシステムと通信する、
を含む、請求項１５に記載のプロセッサによるアクセス可能なメモリシステム。
【請求項１９】
前記第２の通信リンクを確立する命令は、パワーサイクルの後、暫定モードフラグをクリアーする命令を更に含む、請求項１８に記載のプロセッサによるアクセス可能なメモリシステム。
【請求項２０】
前記ホストコンピュータシステムがネットワークソースから前記ディジタル画像共有化ソフトウェアを獲得することを生じさせる命令は、前記ホストコンピュータシステム上に前記ディジタル画像共有化ソフトウェアがインストールされるようにする命令を含む、請求項１５に記載のプロセッサによるアクセス可能なメモリシステム。